(57)【特許請求の範囲】
【請求項１】
天井から吊り下げられる照明装置であり、かつ複数の映像投射装置を有する照明装置であって、
照明装置本体の中心対称に配置された複数の光源を有する光源部と、
前記照明装置本体の中心から偏心した位置に配置される前記複数の映像投射装置を備え、
前記複数の映像投射装置は、互いに前記照明装置本体の中心を基準に対向する半面領域内に配置されることを特徴とする照明装置。
【請求項２】
請求項１に記載の照明装置であって、
前記光源部は複数の照明灯、または、チップＬＥＤからなることを特徴とする照明装置。
【請求項３】
請求項１または２に記載の照明装置であって、
前記映像投射装置へのデータ送信を行う通信部と、
前記映像投射装置への電源を供給する少なくとも一つの電源部を備え、
前記通信部と前記少なくとも一つの電源部は、前記照明装置本体の中心を基準に対向する半面領域内に配置されていることを特徴とする照明装置。
【請求項４】
請求項１から３の何れか1項に記載の照明装置であって、
前記複数の映像投射装置の少なくとも一つは、映像投射口に対してその投射方向が前記照明装置本体の中心方向に偏心した投射特性を有していることを特徴とする照明装置。
【請求項５】
請求項１から４の何れか1項に記載の照明装置であって、
前記照明装置本体の底面に配置された底面カバーと前記映像投射装置との間に間隙を設けることを特徴とする照明装置。
【請求項６】
請求項１から５の何れか1項に記載の照明装置であって、
前記照明装置本体は、該照明装置本体を覆う照明カバーの側面の外側を覆う照明外カバーを有することを特徴とする照明装置。
【請求項７】
請求項６に記載の照明装置であって、
前記照明カバーの側面に前記光源部からの光を照射する開口部を形成し、該開口部から照射された光を前記照明外カバーの内側で反射させ、反射させた光で前記照明カバーの側面の外側を照らすことを特徴とする照明装置。
【請求項８】
請求項１から７の何れか1項に記載の照明装置であって、
天井に設置された引掛けローゼットに一端が支持される３本のワイヤーと、前記３本のワイヤーの他端を固定する固定部を有した前記照明装置本体を有し、前記照明装置本体を前記３本のワイヤーにより、前記引掛けローゼットを介して天井に吊り下げることを特徴とする照明装置。
【発明の詳細な説明】
【技術分野】
【０００１】
本発明は、映像投射装置を備えた照明装置に係わり、特に、天井に設置する照明装置に関する。
【背景技術】
【０００２】
プロジェクタ等の映像投射装置で映像を投射して映像を鑑賞する機会が増えつつある。特に、家庭においては、テーブル等に映像投射装置を設置して壁面に投射して使用する机上置きタイプが考えられる。その場合には、場所の有効利用を考えると、映像投射装置は必要なときに設置し、それ以外は片付ける必要があり、設置の手間がかかるという問題がある。
【０００３】
一方で、天井設置タイプの映像投射装置とすることで、場所の有効利用と設置の手間という問題は解決されるが、施工に費用と時間が掛かるという問題がある。そこで、天井から吊り下げる照明器具であるペンダント照明に映像投射装置を備えることで、天井設置は引掛けローゼットに嵌め込むだけで簡単に設置できる。
【０００４】
本技術分野の背景技術として、特開２０１４−２０７１８４号公報（特許文献１）がある。特許文献１には、照明装置とプロジェクタ装置とを組み合わせた照明システムが開示されており、シーリングライト（天井照明）としての照明装置が、室内の天井面に対して設けられたシーリングローゼットに対して取り付けられ、電子機器を着脱自在に保持する機器保持部を備え、機器保持部は、電子機器を光出射面からの光の出射方向側に取り外し可能に構成されている照明装置、およびその照明装置と電子機器とを備えて構成された照明システムが開示されている。
【先行技術文献】
【特許文献】
【０００５】
【特許文献１】特開２０１４−２０７１８４号公報
【発明の概要】
【発明が解決しようとする課題】
【０００６】
特許文献１では、電子機器は照明装置の中央寄りに保持され自由に換装できることが記載されている。しかし、机上置きと天井設置を兼ねた一般的な汎用のプロジェクタ装置は、机上置きの場合を想定し、机上設置面から上方のみに投映し、不要な下方には投射しないように設計されている。すなわち、プロジェクタ装置の投射口に対して机上設置面上方に偏心した投射特性を有している。よって、そのようなプロジェクタ装置を照明装置の中央に配置した場合には、照明装置の下の投射面が照明領域の片側にずれた領域となり、投射面中央が照明装置の直下にならないという問題がある。特許文献１では、このような、電子機器が汎用のプロジェクタ装置の場合の投射状態について考慮されていない。
【０００７】
本発明は、上記課題を解決することを目的に、映像投射装置を備えた照明装置において、汎用の映像投射装置を用い、照明と投射映像の両方を良好な状態で使用できる装置を提供することである。
【課題を解決するための手段】
【０００８】
上記課題を解決するために、本発明は、その一例を挙げるならば、映像投射装置を備えた照明装置であって、照明装置本体は、その中央部に配置された光源部を有し、光源部の中心から偏心した位置に映像投射装置を備える構成とする。
【発明の効果】
【０００９】
本発明によれば、映像投射装置を備えた照明装置において、汎用の映像投射装置を用いて照明と投射映像の両方を良好な状態で使用できる装置を提供することができる。
【図面の簡単な説明】
【００１０】
【図１】実施例１における映像投射装置を備えた照明装置の斜視図である。
【図２】実施例１における映像投射装置を備えた照明装置の上面図である。
【図３】実施例１における映像投射装置を備えた照明装置の側面図である。
【図４】実施例１における映像投射装置を備えた照明装置の側面断面図である。
【図５】実施例１における映像投射装置を備えた照明装置の底面図である。
【図６】実施例１における映像投射装置を備えた照明装置の底面断面図である。
【図７】実施例１における映像投射装置を備えた照明装置の設置時の投射範囲を説明する図である。
【図８】実施例１における映像投射装置を備えた照明装置の設置例を説明する図である。
【図９】実施例２における映像投射装置を備えた照明装置の側面断面図である。
【図１０】実施例２における映像投射装置を備えた照明装置の底面断面図である。
【図１１】実施例３における映像投射装置を備えた照明装置の側面部分断面図である。
【図１２】実施例３における映像投射装置を備えた照明装置の側面断面図である。
【図１３】実施例３における映像投射装置を備えた照明装置の点灯時の状態図である。
【図１４】実施例３における映像投射装置を備えた照明装置の他の例の点灯時の状態図である。
【図１５】実施例４における映像投射装置を備えた照明装置の底面断面図である。
【図１６】実施例４における映像投射装置を備えた照明装置の側面断面図である。
【図１７】実施例５における映像投射装置を備えた照明装置の底面断面図である。
【図１８】実施例５における映像投射装置を備えた照明装置の側面断面図である。
【図１９】実施例６における映像投射装置を備えた照明装置の斜視図である。
【図２０】実施例６における映像投射装置を備えた照明装置の底面断面図である。
【図２１】実施例６における映像投射装置を備えた照明装置の設置例を説明する図である。
【図２２】実施例６における映像投射装置を備えた照明装置の他の例の設置例を説明する図である。
【発明を実施するための形態】
【００１１】
以下、本発明の実施例を図面を用いて説明する。なお、本発明はこれにより限定されるものではない。
【実施例１】
【００１２】
図１は本実施例における映像投射装置を備えた照明装置の斜視図である。図1に示すように、本照明装置は、天井から吊り下げるタイプの照明器具であるペンダント照明に映像投射装置を備えている。１は照明装置本体、２は照明カバー、３は照明外カバー、４は底面カバー、５は内蔵されている映像投射装置からの投射映像を通過させる投射窓、６は照明装置本体１への電源を供給するケーブル、７は照明装置本体１を支持するワイヤーであって、天井に設置された引掛けローゼット（図示省略）にワイヤー７を取り付けることで、照明装置本体１を支持するようになっている。本実施例では、照明装置本体１の位置を安定させるために３本のワイヤーで照明装置本体１を支持している。
【００１３】
このように、天井設置は引掛けローゼットに吊り下げるだけで簡単に設置できる。なお、８はローゼットカバーであり、図示しない引掛けローゼットに取り付けることで、引掛けローゼットをカバーするようになっている。
【００１４】
図２は本実施例における映像投射装置を備えた照明装置の上面図であり、図１を天井側から見た図である。図２において、９は引掛けローゼット、１０は照明装置本体１側のワイヤー７を支持するワイヤー固定部である。１１は照明外カバー３を支える照明外カバー支えである。
【００１５】
図３は本実施例における映像投射装置を備えた照明装置の側面図であり、図１と同じ符号は同じ構成要件であり、その説明は省略する。
【００１６】
図４は本実施例における映像投射装置を備えた照明装置の側面断面図であり、図２のＡ−Ａでの側面断面図を示している。図４において、照明装置本体１は、映像投射装置２０と、照明灯２１と、通信ユニット２２と、映像投射装置２０と通信ユニット２２への電源供給を行う電源部２３、２４を内部に備え、これらの内部機器は取付けベース１２に取付けられている。ここで、照明灯２１は３つ有する場合を示しているが、これに限定されるものではなく１つでもよい。これらの照明灯２１をまとめて光源部としたとき、その光源部の中心が照明装置本体１の中央部に配置するように照明灯２１が配置されていればよい。また、通信ユニット２２は、ワイヤレスＨＤＭＩ(High−Definition Multimedia Interface)（登録商標）等の無線通信により投射する映像データを映像投射装置２０に送る装置である。また、電源部２３は映像投射装置２０に電源を供給するためのＡＣアダプタであり、電源部２４は映像投射装置２０と通信ユニット２２への電源を供給するテーブルタップである。電源部２４のテーブルタップはケーブル６を介して天井から供給されるＡＣ電源と接続されている。すなわち、映像投射装置２０は電源部２３のＡＣアダプタを介して電源部２４のテーブルタップに接続され電源が供給される。また、通信ユニット２２は電源部２４のテーブルタップに接続され電源が供給される。また、照明装置本体１の底面に配置された底面カバー４と映像投射装置２０との間に間隙を設けることで通風路を構成し、映像投射装置２０の冷却効果を向上させることができる。
【００１７】
図５は本実施例における映像投射装置を備えた照明装置の底面図であり、図１、図２と同じ符号は同じ構成要件であり、その説明は省略する。
【００１８】
図６は本実施例における映像投射装置を備えた照明装置の底面断面図であり、図４のＢ−Ｂでの底面断面図を示している。図６において、照明灯２１は３つあり、これら３つの照明灯２１をまとめて光源部としたとき、その光源部の中心が照明装置本体１の中央部に配置するように照明灯２１が配置されている。また、映像投射装置２０は、その映像投射口２９が光源部の中心から偏心した位置で、かつ、光源部の中心を通る線上に位置するように配置されている。その理由については、図７の説明において後述する。また、通信ユニット２２と電源部２３、２４は、照明装置本体１の中心に対して映像投射装置２０の対向する半面内に配置されている。これは、光源部の中心から片寄って配置された映像投射装置２０の重量による照明装置本体１の傾きを抑えるために配置したものであって、電源部２３、２４も、あえて電源部２３と２４に分けて配置している。このようにすることで、照明装置本体１の重量バランスを取ることができる。なお、電源部２３はＡＣアダプタであり、電源部２４はテーブルタップであるので、それらをまとめて一か所に配置してもよい。
【００１９】
図７は本実施例における映像投射装置を備えた照明装置の設置時の投射範囲を説明する図である。図７（Ａ）は、図２のＡ−Ａでの側面断面図を示し、その時の投射範囲を示している。また、図７（Ｂ）は、図２のＣ−Ｃでの側面断面図を示し、その時の投射範囲を示している。図７（Ａ）に示すように、映像投射装置２０は、映像投射口２９に対してその投射方向が偏心した投射特性を有しており、映像投射エリア３０及び映像投射面３１は映像投射口２９に対して偏心している。すなわち、本実施例に用いる映像投射装置２０は、机上置きと天井設置を兼ねた一般的な汎用の映像投射装置であって、机上置きの場合を想定し、机上設置面から上方のみに投映し不要な下方には投射しないように設計されている。すなわち、映像投射装置の映像投射口に対して机上設置面上方に偏心した投射特性を有している。よって、そのような映像投射装置を光源部の中心から偏心した位置に配置し、映像投射口２９に対してその投射方向が光源部の中心方向に偏心するように配置することで、映像投射面の中央が照明装置本体１の直下になるように構成でき、汎用の映像投射装置を用いて照明と投射映像の両方を良好な状態で使用することができる。なお、図７（Ｂ）に示すように、机上置きと天井設置を兼ねた一般的な汎用の映像投射装置は、机上設置面の左右方向の投射特性は均等となるように設計されているので、映像投射装置２０の映像投射口２９がある面の長手方向の投射特性は左右均等となっている。したがって、図６で説明したように、映像投射装置２０は、その映像投射口２９が光源部の中心から偏心した位置で、かつ、光源部の中心を通る線上に位置するように配置されている。
【００２０】
図８は本実施例における映像投射装置を備えた照明装置の設置例を説明する図である。図８においては、照明点灯と映像投射の両方を行なった場合の模式図を示しており、映像投射面３１と照明の明かり３２による照明範囲が一致しており、照明と投射映像の両方を良好な状態で使用することができる。
【００２１】
以上のように、本実施例は、映像投射装置を備えた照明装置であって、照明装置本体は、その中央部に配置された光源部を有し、光源部の中心から偏心した位置に映像投射装置を備える構成とする。
【００２２】
これにより、汎用の映像投射装置を用いて照明と投射映像の両方を良好な状態で使用できる装置を提供することができる。
【実施例２】
【００２３】
本実施例は、実施例１とは異なる構成の映像投射装置を備えた照明装置について説明する。
【００２４】
図９は本実施例における映像投射装置を備えた照明装置の側面断面図である。図９において、実施例１と同じ構成要件には同じ符号を付し、その説明は省略する。４０はチップＬＥＤ照明用基板であって、チップＬＥＤ４１を搭載し光源部を構成する。４２は映像投射装置２０からの投射映像を通過させる投射窓であって、照明装置本体１内へＰの距離だけ折り曲げられた構造となっている投射部立体窓である。このように投射窓を内側に折り曲げ立体窓とすることで、外から内容物が見えにくくなり外観の見栄えを良くすることができる。
【００２５】
図１０は、本実施例における映像投射装置を備えた照明装置の底面断面図であり、図９のＢ−Ｂでの底面断面図を示している。図１０において、チップＬＥＤ４１を搭載したチップＬＥＤ照明用基板４０は光源部を構成し、この光源部の中心が照明装置本体１の中央部に配置するように光源部が配置されている。その他の構成は実施例１と同様なので説明は省略する。
【００２６】
以上のように、本実施例は、光源部をチップＬＥＤで構成している。これにより、汎用の映像投射装置を備えた照明装置本体をより軽くすることができる。
【実施例３】
【００２７】
本実施例は、映像投射装置を備えた照明装置の照明器具の構成について説明する。
【００２８】
図１１は本実施例における映像投射装置を備えた照明装置の側面部分断面図であり、図２のＤ−Ｄでの側面部分断面図を示している。図１１において、照明カバー２に間接光用穴４３を設け、間接光用穴４３から漏れた光源部からの光が照明外カバー３の内側で反射し間接光４４となるように構成している。すなわち、図１２に示す側面断面図において、光源部からの直接光４５が間接光用穴４３を通り照明外カバー３の内側で反射し間接光４４となり、間接光４４が照明カバー２を外側から照らすように構成する。なお、間接光用穴４３はこれに限定されず、例えばスリット状の形状でも良く、光源部からの光を照明外カバー３に照射する開口部であればよい。
【００２９】
図１３は本実施例における映像投射装置を備えた照明装置の照明点灯時の状態を示した図である。図１３において、照明点灯時には、照明カバー２の照明外カバー３で覆われていない部分、及び、照明外カバー３の内側４７が間接光４４により光り、照明外カバー３及び照明カバー上部４６が斜線で示すように影となる。また、底面カバー４は直接光で光る。
【００３０】
このような構成とすることで、映像投射装置を備えたことで厚みのある照明装置本体を薄く見せることができる。また、間接光用穴４３は照明装置本体内の機器の排熱口としても有効である。また、照明カバー２を照明外カバー３で覆うことで、照明装置本体内に設けた映像投射装置の影が外部から見えないようにできるという効果もある。さらに、空間での演出効果の高い照明器具としても提供できる。
【００３１】
図１４は本実施例における映像投射装置を備えた照明装置の他の例の点灯時の状態図である。図１４（Ａ）は、照明外カバー３を上下二段に設けた構成である。これにより、より照明装置本体を薄く見せることができる。また、空間での演出効果の高い照明器具としても提供できる。
【００３２】
図１４（Ｂ）は、照明カバー２を二重にして、照明外カバー３と合わせて、三重リングタイプとした構成である。これにより、照明点灯時には、二重にした照明カバー２の内側４８も光り、より照明装置本体を薄く見せることができる。また、空間での演出効果の高い照明器具としても提供できる。
【実施例４】
【００３３】
本実施例は、映像投射装置を備えた照明装置の他の構成について説明する。
【００３４】
図１５は本実施例における映像投射装置を備えた照明装置の底面断面図である。図１５において、実施例１の図６と異なる点は、映像投射装置２０が、その映像投射口２９がある面の長手方向が光源部の中心を通る線上に沿うように配置されている点である。また、照明装置本体１の重量バランスを考えて、通信ユニット２２、電源部２３、２４の配置も変更されている。このように、映像投射装置２０を配置することで、光源部からの光が映像投射装置２０に遮られて影となる現象を低減できるという効果がある。なお、映像投射装置２０は映像投射口２９に対してその投射方向が偏心した投射特性を有しており、映像投射面が映像投射口２９に対して偏心するという問題に対しては、映像投射装置での位置調整機能により対応するようにしている。
【００３５】
なお、図１６に本実施例における映像投射装置を備えた照明装置の側面断面図を示すが、映像投射装置２０が、その映像投射口２９がある面の長手方向を短くするような形状の映像投射装置であれば、さらに影となる影響を低減できる。
【実施例５】
【００３６】
本実施例は、映像投射装置を備えた照明装置の他の構成について説明する。  
図１７は本実施例における映像投射装置を備えた照明装置の底面断面図である。図１７において、実施例１の図６と異なる点は、映像投射装置２０が、その映像投射口２９がある面の長手方向が光源部の中心を通る線上に沿い、かつ、その長手方向の中心が光源部の中心と一致した位置に配置されている点である。また、照明装置本体１の重量バランスを考えて、通信ユニット２２、電源部２３、２４の配置も変更されている。
【００３７】
このように、映像投射装置２０を配置することで、光源部と映像投射装置が略同じ高さであれば、映像投射装置が光源部の中央から偏心している場合よりも、光源部からの光が映像投射装置に遮られて影となることを低減でき、照明装置の外周をより均等に光らせることができるという効果がある。なお、映像投射装置２０は映像投射口２９に対してその投射方向が偏心した投射特性を有しており、映像投射面の中央が照明装置本体１の直下からずれるという問題があるが、映像投射装置の投射特性を変更することで対応可能である。
【００３８】
なお、図１８に本実施例における映像投射装置を備えた照明装置の側面断面図を示す。
【００３９】
本実施例によれば、光源部からの光が映像投射装置に遮られることを低減でき、照明装置の外周をより均等に光らせることができるという効果がある。
【実施例６】
【００４０】
本実施例は、映像投射装置を備えた照明装置において、映像投射装置を複数備えた照明装置について説明する。
【００４１】
図１９は本実施例における映像投射装置を備えた照明装置の斜視図である。図１９において、照明装置本体に内蔵されている映像投射装置からの投射映像を通過させる投射窓５を、底面カバー４と照明外カバー３に設けている。
【００４２】
図２０は本実施例における映像投射装置を備えた照明装置の底面断面図である。図２０に示すように、映像投射装置２０を２つ備えており、照明装置を天井から吊り下げた状態で、下面への映像投射を行う映像投射装置と、壁面に映像投射を行う映像投射装置を有している。壁面用の映像投射装置は照明外カバー３に設けられた投射窓５を通過して壁面へ映像を投射する。
【００４３】
図２１に本実施例における映像投射装置を備えた照明装置の設置例を示し、照明点灯と映像投射の両方を行なった場合の模式図を示している。図２１のように、机上と壁面の両方に映像投射面３１を形成し映像を投射することができる。
【００４４】
また、本実施例によれば、図２０で示すように、２つの映像投射装置２０を対向する位置に配置することで、照明装置本体の重量バランスをとることができる。
【００４５】
なお、本実施例における映像投射装置を備えた照明装置は、３本のワイヤーにより天井から吊り下げることで、照明装置本体は位置が安定するので、壁面への映像投射も表示位置がずれることなく実施することができる。
【００４６】
図２２は本実施例における映像投射装置を備えた照明装置の他の例の設置例を説明する図である。図２２に示すように、２つの映像投射装置を共に机上に映像を投射するように構成することもでき、同様に重量バランスをとることができる。なお、２つの映像投射装置は、その映像投射口が光源部の中心から偏心した位置で、かつ、光源部の中心を通る線上に対向する位置に配置され、それぞれの映像投射装置の映像投射口に対して、その投射方向が光源部の中心方向に偏心した投射特性を有するように配置することで、投射映像を良好な状態で使用できる。
【００４７】
以上実施例について説明したが、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００４８】
１…照明装置本体、２…照明カバー、３…照明外カバー、４…底面カバー、５…投射窓、６…ケーブル、７…ワイヤー、８…ローゼットカバー、９…引掛けローゼット、１０…ワイヤー固定部、１１…照明外カバー支え、１２…取付けベース、２０…映像投射装置、２１…照明灯、２２…通信ユニット、２３，２４…電源部、２９…映像投射口、３０…映像投射エリア、３１…映像投射面、３２…照明の明かり、４０…チップＬＥＤ照明用基板、４１…チップＬＥＤ、４２…投射部立体窓、４３…間接光用穴、４４…間接光、４５…直接光、４６…照明カバー上部、４７…照明外カバー内側、４８…照明カバー内側
【図１】
0006531019.tif 000002
【図２】
0006531019.tif 000003
【図３】
0006531019.tif 000004
【図４】
0006531019.tif 000005
【図５】
0006531019.tif 000006
【図６】
0006531019.tif 000007
【図７】
0006531019.tif 000008
【図８】
0006531019.tif 000009
【図９】
0006531019.tif 000010
【図１０】
0006531019.tif 000011
【図１１】
0006531019.tif 000012
【図１２】
0006531019.tif 000013
【図１３】
0006531019.tif 000014
【図１４】
0006531019.tif 000015
【図１５】
0006531019.tif 000016
【図１６】
0006531019.tif 000017
【図１７】
0006531019.tif 000018
【図１８】
0006531019.tif 000019
【図１９】
0006531019.tif 000020
【図２０】
0006531019.tif 000021
【図２１】
0006531019.tif 000022
【図２２】
0006531019.tif 000023